(57)【要約】【課題】電気音響設備の異常検知処理を自動化できる電気音響設備の監視装置を提供する。【解決手段】電気音響設備１０のスピーカ１４に入力される音声信号を数値化するＡ／Ｄコンバータ部３１と、数値化された音声信号のレベル値と基準レベル値とを比較する比較部３２と、比較結果に基づいて音声信号のレベル異常を検出するレベル異常検出部３３と、レベル異常が検出された場合にその旨を報知する状態表示部３４とを備えることで、電気音響設備１０の異常検知処理を自動化した。さらに、Ａ／Ｄコンバータ部３１により数値化された音声信号を時刻情報とともに記録する音声出力状況記録部３５を備えることで、異常発生時の音声出力状況を事後に正確に把握できるようにした。【選択図】  図１
2004312524.tif 000002
【特許請求の範囲】
【請求項１】
電気音響設備のスピーカに入力される音声信号を数値化する数値化手段と、
前記数値化手段により数値化された音声信号のレベル値と基準レベル値とを比較する比較手段と、
前記比較手段による比較結果に基づいて前記音声信号のレベル異常を検出するレベル異常検出手段と、
前記レベル異常検出手段によりレベル異常が検出された場合にその旨を報知する異常報知手段と、
を備えた電気音響設備の監視装置。
【請求項２】
前記レベル異常検出手段は、前記音声信号のレベル値が前記基準レベル値を規定時間内に規定回数以上超えた場合にレベル異常と判断する請求項１記載の電気音響設備の監視装置。
【請求項３】
前記基準レベル値、前記規定時間、および前記規定回数は、設定変更可能である請求項２記載の電気音響設備の監視装置。
【請求項４】
前記レベル異常検出手段によりレベル異常が検出されたら前記スピーカへの入力を停止させる過入力防止手段を備えた請求項１ないし３のいずれかに記載の電気音響設備の監視装置。
【請求項５】
前記数値化手段に入力される音声信号を時刻情報とともに記録する音声出力状況記録手段を備えた請求項１ないし４のいずれかに記載の電気音響設備の監視装置。
【請求項６】
前記数値化手段により数値化された音声信号を時刻情報とともに記録する音声出力状況記録手段を備えた請求項１ないし５のいずれかに記載の電気音響設備の監視装置。
【請求項７】
前記音声出力状況記録手段は、前記レベル異常検出手段によりレベル異常が検出されたら記録動作を開始する請求項５または６記載の電気音響設備の監視装置。
【発明の詳細な説明】
【０００１】
【発明の属する技術分野】
本発明は、電気音響設備の異常を監視する監視装置に関する。
【０００２】
【従来の技術】
従来、ビルの構内放送設備やダムの放流警報装置等の電気音響設備の異常を監視する監視装置が知られている。（特許文献１、２等参照）
【０００３】
図６は従来のこの種の監視装置の構成を示すブロック図であり、監視対象である電気音響設備１０は、音源部１１と、音源部１１からの音声信号をミキシング処理するミキサ部１２と、ミキサ部１２からの出力信号を増幅する電力増幅部１３と、電力増幅部１３からの出力信号を音声に変換するスピーカ１４とを備えている。監視装置７０は、電気音響設備１０の電力増幅部１３から出力信号を分岐させて伝送するモニタ用伝送路２１と、モニタ用伝送路２１により伝送されてきた出力信号を所定レベル以下に減衰させる減衰部  ７１と、減衰部７１からの出力信号のレベルを表示するレベルメータ部７２と、減衰部７１からの出力信号の出力音量を調節するためのモニタ音量調節部７３と、モニタ音量調節部７３からの出力信号を増幅するモニタスピーカ用増幅部７４と、モニタスピーカ用増幅部７４からの出力信号を音声に変換するモニタスピーカ７５とを備えている。
【０００４】
この監視装置７０によれば、電気音響設備１０の出力音量に応じてリアルタイムで変化するレベルメータ部７２の表示およびモニタスピーカ７５の出力音声により、電気音響設備１０の動作状況をリアルタイムで把握することができる。
【０００５】
【特許文献１】特開平９−１３０４９３号公報
【特許文献２】特開平５−３４２４８４号公報
【０００６】
【発明が解決しようとする課題】
【０００７】
しかし、従来の監視装置７０では、オペレータが常時監視を行う必要があり、オペレータがレベルメータ部７２の表示を目視、あるいはモニタスピーカ７５の出力音声を聞くことにより電気音響設備１０の動作状況を把握し、正常であるか異常であるかを判断していたため、オペレータの経験や能力などによって判断に大きなばらつきが生じていた。
【０００８】
本発明は、このような従来の技術の欠点を解消するべく創案されたものであり、その目的は、電気音響設備の異常検知処理を自動化することができる電気音響設備の監視装置を提供することにある。
【０００９】
【課題を解決するための手段】
上記目的を達成するために、本発明の監視装置は、電気音響設備のスピーカに入力される音声信号を数値化する数値化手段と、前記数値化手段により数値化された音声信号のレベル値と基準レベル値とを比較する比較手段と、前記比較手段による比較結果に基づいて前記音声信号のレベル異常を検出するレベル異常検出手段と、前記レベル異常検出手段によりレベル異常が検出された場合にその旨を報知する異常報知手段と、を備えたものである。
【００１０】
上記のように構成された本発明の監視装置によれば、電気音響設備の異常検知処理を自動化できる。
【００１１】
本発明の監視装置において、前記レベル異常検出手段は、前記音声信号のレベル値が前記基準レベル値を規定時間内に規定回数以上超えた場合にレベル異常と判断することが望ましい。
【００１２】
上記の構成により、スピーカへの音声信号入力レベルの異常（過大入力）とノイズとを混同することなく異常検出を行うことができる。
【００１３】
また、前記基準レベル値、前記規定時間、および前記規定回数は、設定変更可能であることが望ましい。
【００１４】
上記の構成により、電気音響設備の設置場所や使用条件などに応じて、レベル異常と判断する基準を自在に設定変更できる。
【００１５】
また、前記レベル異常検出手段によりレベル異常が検出されたら前記スピーカへの入力を停止させる過入力防止手段を備えていることが望ましい。
【００１６】
上記の構成により、異常が発生した場合直ちにスピーカへの入力を停止させてスピーカを保護することができる。
【００１７】
また、前記数値化手段に入力される音声信号を時刻情報とともに記録する音声出力状況記録手段を備えていることが望ましい。
【００１８】
上記の構成により、時刻情報とともに記録された音声信号に基づいて、異常発生時の音声出力状況を事後に正確に把握することができる。
【００１９】
また、前記数値化手段により数値化された音声信号を時刻情報とともに記録する音声出力状況記録手段を備えていることが望ましい。
【００２０】
上記の構成により、時刻情報とともに記録された音声信号のレベル値に基づいて、異常発生時の音声出力状況を事後に正確に把握することができる。
【００２１】
また、前記音声出力状況記録手段は、前記レベル異常検出手段によりレベル異常が検出されたら記録動作を開始することが望ましい。
【００２２】
上記の構成により、スピーカへの音声信号入力レベルの異常が発生した場合のみ音声信号を記録することができる。
【００２３】
【発明の実施の形態】
以下本発明の実施の形態について説明する。
【００２４】
図１は本発明にかかる監視装置の実施の形態の一例を示すブロック図である。
監視対象である電気音響設備１０は、音源部１１と、音源部１１からの音声信号をミキシング処理するミキサ部１２と、ミキサ部１２からの出力信号を増幅する電力増幅部１３と、電力増幅部１３からの出力信号を音声に変換するスピーカ１４とを備えている。
【００２５】
監視装置２０は、電気音響設備１０の電力増幅部１３から出力信号を分岐させて伝送するモニタ用伝送路２１と、モニタ用伝送路２１により伝送されてきた出力信号を所定レベル以下に減衰させる減衰部２２と、減衰部２２からの出力信号のレベルを表示するレベルメータ部２３と、減衰部２２からの出力信号の出力音量を調節するためのモニタ音量調節部２４と、モニタ音量調節部２４からの出力信号を増幅するモニタスピーカ用増幅部２５と、モニタスピーカ用増幅部２５からの出力信号を音声に変換するモニタスピーカ２６とを備えている。
【００２６】
以上の構成は従来の監視装置と同様である。すなわち、この実施の形態の監視装置２０においても、電気音響設備１０の出力音量に応じてリアルタイムで変化するレベルメータ部２３の表示およびモニタスピーカ２６の出力音声により、電気音響設備１０の動作状況をリアルタイムで把握することができる。
【００２７】
この実施の形態の監視装置２０は、さらに、Ａ／Ｄコンバータ部３１、比較部３２、レベル異常検出部３３、状態表示部３４、音声出力状況記録部３５、および操作部３６を備えている。
【００２８】
Ａ／Ｄコンバータ部３１は、減衰部２２からの音声信号をデジタル信号に変換する。すなわち、入力された音声信号を数値化して出力する。
【００２９】
比較部３２は、Ａ／Ｄコンバータ部３１により数値化された音声信号のレベル値と基準レベル値Ｒｅｆとを比較しその結果を出力する。
【００３０】
レベル異常検出部３３は、比較部３２による比較結果に基づいて音声信号のレベル異常を検出する。具体的には、図２（ａ）に示すように、音声信号のレベル値が基準レベル値Ｒｅｆを規定時間Ｔ内に規定回数（図示の例では２回）Ｎ以上超えた場合にレベル異常（過大入力）と判断する。そして、レベル異常を検出した場合には、レベル異常検知信号を状態表示部３４に出力する。また、図２（ｂ）に示すように、音声信号のレベル値が規定時間Ｔの間連続して基準レベル値Ｒｅｆを越えた場合にはノイズと判断し、ノイズ検知信号を状態表示部３４に出力する。
【００３１】
状態表示部３４は、過入力報知部３４ａとノイズ報知部３４ｂとを備えている。これらは各々発光色の異なるランプ（ＬＥＤ等）を備え、レベル異常検出部３３からレベル異常検知信号が与えられると、過入力表示部３４ａが点灯（または点滅）し、ノイズ検知信号が与えられるとノイズ報知部３４ｂが点灯（または点滅）するようになっている。
【００３２】
音声出力状況記録部３５は、Ａ／Ｄコンバータ部３１により数値化された音声信号を時刻情報とともに内部の大容量記録媒体に記録していく。大容量記録媒体としては、ハードディスク、ＤＶＤ−ＲＡＭ、ＤＶＤ−Ｒ／ＲＷなどが用いられる。
【００３３】
操作部３６にはパーソナルコンピュータなどが使用される。操作部３６にインストールされている設備監視用プログラムを使用することにより、比較部３２における基準レベル値、レベル異常検出部３３における規定時間Ｔおよび規定回数Ｎの設定を変更することができるようになっている。また、記録部３５に記録されている内容を操作部３６のモニタ画面に表示することができるようになっている。
【００３４】
次にこの実施の形態の作用を説明する。
監視装置２０は、電気音響設備１０のスピーカ１４に入力される音声信号を数値化して時刻情報とともに記録部３５内の大容量記録媒体に常時記録しつつ、音声信号のレベル値と基準レベル値Ｒｅｆとを比較する。そして、音声信号のレベル値が基準レベル値Ｒｅｆを規定時間Ｔ内に規定回数Ｎ以上超えた場合にはレベル異常と判断し、過入力報知部３４ａを点灯させてレベル異常が発生したことをオペレータに報知する。また、レベル値が規定時間Ｔの間連続して基準レベル値Ｒｅｆを越えた場合にはノイズと判断し、ノイズ報知部３４ｂを点灯させてノイズが発生していることをオペレータに報知する。
【００３５】
したがって、オペレータは、過入力報知部３４ａが点灯することにより、レベル異常が発生したことを知ることができる。また、ノイズ報知部３４ｂが点灯することにより、基準レベル以上のノイズ入力が発生していることを知ることができる。そして、スピーカ１４への入力を停止させるなどの対処行動をとることができる。
【００３６】
また、記録部３５内の大容量記録媒体には、スピーカ１４に入力された音声信号が数値化され、すなわちデジタル音声信号として時刻情報とともに記録されているので、これを再生することにより、異常発生時の前後における音声出力状況を詳しく調べることができる。したがって、異常発生の原因究明を正確に行い、再発防止のための対応処理を適切に行うことができる。
【００３７】
また、レベル異常の場合には過入力報知部３４ｃを点灯させ、ノイズの場合にはノイズ報知部３４ｂを点灯させるので、スピーカ１４への音声信号入力レベルの異常とノイズとを混同することなく異常検出を行うことができる。
【００３８】
また、基準レベル値Ｒｅｆ、規定時間Ｔおよび規定回数Ｎの設定を変更することができるので、電気音響設備１０の設置場所や使用条件などに応じて、レベル異常やノイズと判断する基準を自在に設定変更できる。
【００３９】
図３は本発明にかかる監視装置の別の実施の形態を示すブロック図である。
図３に示す監視装置４０は、図１中の音声出力状況記録部３５の代わりに、Ａ／Ｄコンバータ部３１にされる前のアナログ音声信号を記録する音声出力状況記録部４１を備えている。この音声出力状況記録部４１は、減衰部２２からの出力音声信号を時刻情報とともに内部の大容量記録媒体に記録していく。大容量記録媒体としては、ハードディスク、ＤＶＤ−ＲＡＭ、ＤＶＤ−Ｒ／ＲＷなどを用いることができる。
【００４０】
この構成においても、音声出力状況記録部４１内の大容量記録媒体に記録されている音声信号を再生することにより、異常発生時の前後における音声出力状況を詳しく調べることができるので、異常発生の原因究明および対応処理に役立てることができる。
【００４１】
図４は本発明にかかる監視装置のさらに別の実施の形態を示すブロック図である。
図４に示す監視装置５０は、図１の構成において、レベル異常検出部３３のレベル異常検知信号が音声出力状況記録部３５の制御回路に入力されるようになっている。そして、音声出力状況記録部３５がレベル異常検知信号をトリガにして記録動作を開始する構成になっている。
【００４２】
この構成によれば、電気音響設備１０のスピーカ１４への音声信号入力レベルの異常が発生した場合のみデジタル音声信号を時間情報とともに記録することができるので、音声出力状況記録部３５内の大容量記録媒体の使用容量を節約できるとともに、異常発生直後からの記録音声信号を容易に取得できる。
【００４３】
また、図３の構成においても、図４の場合と同様に、レベル異常検出部３３からのレベル異常検知信号をトリガにして音声出力状況記録部４１が記録動作を開始する構成とすれば、アナログ音声信号を時間情報とともに記録することができるので、音声出力状況記録部４１内の大容量記録媒体の使用容量を節約できるとともに、異常発生直後からの記録音声信号を容易に取得できる。
【００４４】
図５は本発明にかかる監視装置のさらに別の実施の形態を示すブロック図である。
図５に示す監視装置６０は、図１の構成に加えて、電気音響設備１０内の電力増幅部１３とスピーカ１４とを結ぶ信号線の途中に設けられた信号遮断部６１を備え、レベル異常検出部３３のレベル異常検知信号が配線６２を通して信号遮断部６１に入力されるようになっている。そして、信号遮断部６１がレベル異常検知信号をトリガにしてスピーカ１４への入力を遮断する構成になっている。
【００４５】
この構成によれば、スピーカ１４への入力信号レベル異常が発生した場合に直ちにスピーカ１４への入力を停止させてスピーカ１４を保護することができる。
【００４６】
なお、本発明は以上の実施の形態に限定されるものではない。たとえば、デジタル音声信号を記録する音声出力状況記録部３５とアナログ音声信号を記録する音声出力状況記録部４１を両方備えた構成としてもよい。また、１つの音声出力状況記録部に両方の機能を持たせてもよい。
【００４７】
また、レベル異常検出部３３のレベル異常検知信号を電話回線などを介して遠隔地に設置した監視装置に送信するように拡張すれば、スピーカ１４への入力信号レベル異常を遠隔監視可能なシステムを構築することができる。
【００４８】
また、音声出力状況記録部３５、４１に記録された音声信号を電話回線などを介して遠隔地に設置した監視装置に送信できるように拡張すれば、異常発生時の前後における音声出力状況を遠隔地にて把握することも可能である。したがって本発明によれば、遠隔地からメンテナンスサービスを提供するシステムを構築することも可能である。
【００４９】
【発明の効果】
以上説明したように、本発明にかかる電気音響設備の監視装置によれば、電気音響設備の異常検知処理を自動化することができる。
【図面の簡単な説明】
【図１】本発明にかかる監視装置の実施の形態の一例を示すブロック図である。
【図２】（ａ）はレベル異常検出処理の説明図、（ｂ）はノイズ検知処理の説明図である。
【図３】本発明にかかる監視装置の別の実施の形態を示すブロック図である。
【図４】本発明にかかる監視装置のさらに別の実施の形態を示すブロック図である。
【図５】本発明にかかる監視装置のさらに別の実施の形態を示すブロック図である。
【図６】従来の監視装置の構成を示すブロック図である。
【符号の説明】
１０：電気音響設備
１３：電力増幅部
１４：スピーカ
２０：監視装置
２１：モニタ用伝送路
２２：減衰部
２３：レベルメータ部
２４：モニタ音量調節部
２５：モニタスピーカ用増幅部
２６：モニタスピーカ
３１：Ａ／Ｄコンバータ部（数値化手段）
３２：比較部
３３：レベル異常検出部
３４：状態表示部
３５：音声出力状況記録部
３６：操作部
３４ａ：過入力報知部（異常報知手段）
４０：監視装置
４１：音声出力状況記録部
５０：監視装置
６０：監視装置
６１：信号遮断部（過入力防止手段）
Ｎ：規定回数
Ｔ：規定時間
Ｒｅｆ：基準レベル値
【図１】
2004312524.tif 000003
【図２】
2004312524.tif 000004
【図３】
2004312524.tif 000005
【図４】
2004312524.tif 000006
【図５】
2004312524.tif 000007
【図６】
2004312524.tif 000008